(57)【要約】【課題】カード排出機構の誤動作を防止しつつ、良好な操作性を有し、且つ、小さい投影面積を有するカードソケットを提供すること。【解決手段】  カードソケットは、カード挿脱方向にスライド可能なスライダ４０と、支点部並びに該支点部を挟んで互いに反対側に設けられた第１及び第２の被押圧部６２及び６４とを有するロッカーアーム６０とを備えている。第１の被押圧部６２に第１の力が加えられると、ロッカーアーム６０はスライダ４０側に移動して、スライダ４０がカード排出方向に向かってスライドするのを阻止する。第２の被押圧部６４に第２の力を加えると、ロッカーアーム６０が第１の力に抗ってスライダ４０から離れる方向に移動する。それにより、スライダ４０はカード排出方向にスライドすることができるようになる。【選択図】図１４
2006040588.tif 000002
【特許請求の範囲】
【請求項１】
カードを挿脱可能に保持するためのケースと、
挿入されるカードを受けるためのカード受部を有し、第１及び第２の位置間においてスライド可能に前記ケース内に設けられたスライダであって、カード挿入時には当該カードと共に前記第１の位置に向かってスライドし、カード排出時には当該カードと共に前記第２の位置に向かってスライドするスライダと、
該スライダを前記第２の位置に向けて常時付勢する第１の付勢手段と、
支点部と該支点部を挟んで互いに反対側に設けられた第１及び第２の被押圧部とを有し、第１及び第２の揺動位置間において揺動可能となるように前記支点部を前記ケースに保持されたロッカーアームであって、前記第１の被押圧部と前記支点部との間にストッパ部を有し、且つ、前記スライダが前記第１の位置にあるときには当該ロッカーアームが前記第１の揺動位置に位置することにより前記ストッパ部にて前記スライダが前記第２の位置に向かってスライドするのを阻止するロッカーアームと、
該ロッカーアームの前記第１の被押圧部に第１の力を加えることにより該ロッカーアームを前記第１の揺動位置に向けて常時付勢する第２の付勢手段と、
前記ケースに移動可能に保持された操作部材であって、操作された際に前記ロッカーアームの前記第２の被押圧部に対して第２の力を加えることにより前記第２の付勢手段による第１の力に抗って該ロッカーアームを第２の揺動位置に向けて移動させる操作部材と
を備えるカードソケット。
【請求項２】
前記ケースは、カード収容スペースと、該カード収容スペースに対してカードを第１の方向に沿って挿脱可能とするための開口部とを有しており、
該開口部は、前記第１の方向に沿って見た場合において、前記第１の方向に直交する第２の方向に長く、且つ、前記第１及び第２の方向に直交する第３の方向に短い、略長方形状を有しており、
前記スライダは、前記第１の方向にスライド可能であり、
前記第２の付勢手段は前記第１の方向において前記カード収容スペースよりも前記開口部から遠い領域に位置するように前記ケース内に設けられ、前記第２の方向に沿って前記ロッカーアームの前記第１の被押圧部に対して前記第１の力を常時加える
請求項１記載のカードソケット。
【請求項３】
前記ロッカーアームは、第１及び第２の端部並びにその間に位置する前記支点部を有する主板部と、前記第１の端部に設けられた前記第１の被押圧部と、前記支点部と前記第２の端部との間に設けられた前記第２の被押圧部とを備えており、
該ロッカーアームは、前記主板部が前記第１及び前記第２の方向により規定される面内で揺動可能となるように、前記ケースに取り付けられている
請求項２記載のカードソケット。
【請求項４】
前記第２の付勢手段は圧縮バネを備えており、
前記ケースは、前記第１の方向において前記カード収容スペースよりも前記開口部から遠い領域において前記第２の方向に延びるガイドレール部と、該ガイドレール部から一定距離だけ前記第１の方向に離れるようにして設けられた壁部とを有しており、
前記ケースの前記ガイドレール部と前記壁部とは前記第２の付勢手段の前記圧縮バネを収容するバネ収容部を構成しており、
前記第１の被押圧部は、断面逆Ｕ字形状を有し、前記第３の方向に向かって前記第１の端部から突出しており、前記ガイドレール部を跨ぐようにして配置されることにより、前記第２の付勢手段の前記圧縮バネから前記第１の力を受ける
請求項３記載のカードソケット。
【請求項５】
前記ロッカーアームの前記主板部は、前記支点部に接続された片刃腰鉈状の第１板部と、該第１板部の先端に接続されたＬ字状の第２板部と、前記支点部を介して前記第１板部に接続された第３板部とを備えており、
前記第１板部は、前記ロッカーアームが前記第２の揺動位置にあるとき、前記支点部から前記第１の方向に沿うようにして前記壁部に向かって延びると共に、前記片刃腰鉈状の刃部が前記第２の方向に張り出すようにして形成されており、
前記第２板部は、前記第１板部の先端から出発して、前記スライダから離れた後に前記壁部に向かうような形状を有しており、
前記第１の被押圧部は、当該第２板部の先端に設けられており、
前記第３板部は、前記ロッカーアームが前記第１の揺動位置にあるとき、前記支点部から前記第１の方向に沿うようにして前記開口部に向かって延びている
請求項４記載のカードソケット。
【請求項６】
前記スライダは、前記第３の方向に突出した突出部を有し、
前記第１板部の先端は、前記ロッカーアームが前記第１の揺動位置にあるとき、前記突出部を前記第１の方向において受けることにより、前記ストッパ部として機能し、
前記突出部は、前記スライダが前記第２の位置にあり且つ前記ロッカーアームが前記第２の揺動位置にあるとき、前記第１板部の前記刃部を前記第２の方向において受けることにより、前記ロッカーアームが前記第１の揺動位置に向かって移動することを阻止する
請求項５記載のカードソケット。
【請求項７】
前記ロッカーアームの前記第２の被押圧部は、前記第３の方向に突出しており、
前記操作部材は、前記第１の方向に沿って移動可能となるように、前記ケースに保持されており、
該操作部材は、前記第２の被押圧部を収容するための収容穴部を有しており、
該収容穴部は、前記操作部材が前記第１の方向に沿って移動させられた際に、当該移動による前記第１の方向の力を前記第２の力に変換して前記第２の被押圧部に伝達するためのカム面を有する
請求項２乃至６のいずれかに記載のカードソケット。
【請求項８】
前記ロッカーアームは、所定寸法のカードが前記カード収容スペースに完全に収容された際に、当該カードの後縁を受けるための後縁受部を有しており、
該後縁受部は、前記ロッカーアームの前記第２の被押圧部よりも前記開口部に近い位置から前記第３の方向に向かって突出している
請求項２乃至７のいずれかに記載のカードソケット。
【請求項９】
前記ロッカーアームは、且つ、前記所定寸法のカードよりも前記第１の方向において長いカードが当該カードソケットに挿入されて前記スライダが前記第１の位置に位置しているとき、前記第１及び第２の揺動位置間に第３の揺動位置に位置しており、
前記ロッカーアームが前記第３の揺動位置にあるとき、前記ストッパ部は前記スライダが前記第２の位置に向かってスライドするのを阻止する一方、前記後端受部が前記第１の方向から見た場合に前記カード収容スペースと重ならない位置に位置している
請求項８記載のカードソケット。
【発明の詳細な説明】
【技術分野】
【０００１】
本発明は、カード排出機構を備えたカードソケット又はカードコネクタ（以下、単に「カードソケット」という。）に関する。
【背景技術】
【０００２】
近年、携帯電話やデジタルカメラなど小型機器のデータの利用可能性を広げる手段として小型のメモリカードが用いられている。この種のメモリカード用として、小型機器にはカードソケットが搭載され、メモリカードが該カードソケットに脱着可能に取り付けられる。このようなメモリカードによれば、小型機器とコンピュータとの間でデータの授受を容易に行うことができる。
【０００３】
この種の小型のメモリカード用のカードソケットとしては、例えば、特許文献１に示されるものがある。特許文献１に示されたカードソケットは、カードの厚み方向に操作部材を押下することにより、カード排出機構を動作させるものである。
【０００４】
上記のメモリカードよりも大きいカードであるＰＣカード用のカードソケットとしては、例えば、特許文献２に示されるものがある。
【０００５】
【特許文献１】特開２００１−３５１７３５号公報
【特許文献２】特開２０００−３４０２９３号公報
【発明の開示】
【発明が解決しようとする課題】
【０００６】
特許文献１に示されるカードソケットでは、小型のメモリカードの厚さが１，２ｍｍ程度であることを考慮すると、外部からの衝撃などにより操作部材に対してカード厚み方向に向かう力が加わり、カード排出機構が意に反して機能してしまう可能性が高い。
【０００７】
特許文献１には、かかるカード排出機構の意に反する動きを規制するための手段も開示されているが（例えば、特許文献１の００４６欄）、当該手段は操作性に欠ける。
【０００８】
一方、特許文献２のカードソケットは、特許文献１のカードソケットと比較すると、カード排出機構が意に反して機能してしまう確率は低く、操作性も良い。
【０００９】
しかしながら、特許文献２のカードソケットは、ＰＣカード用に構成されたものであり、上述の小型のメモリカード用としては用いることができない。加えて、単にスケールを小さくしようとすると、各部品の強度が落ちることとなり、各部品の強度を保持しようとすると、カードソケットの投影面積をできる限り小さくするという一般的な小型化に対する要求を満たせなくなってしまう。
【００１０】
そこで、本発明は、カード排出機構の誤動作を防止しつつ、良好な操作性を有し、且つ、小さい投影面積を有するカードソケットを提供することを目的とする。
【課題を解決するための手段】
【００１１】
本発明によれば、第１のカードソケットとして、
カードを挿脱可能に保持するためのケースと、
挿入されるカードを受けるためのカード受部を有し、第１及び第２の位置間においてスライド可能に前記ケース内に設けられたスライダであって、カード挿入時には当該カードと共に前記第１の位置に向かってスライドし、カード排出時には当該カードと共に前記第２の位置に向かってスライドするスライダと、
該スライダを前記第２の位置に向けて常時付勢する第１の付勢手段と、
支点部と該支点部を挟んで互いに反対側に設けられた第１及び第２の被押圧部とを有し、第１及び第２の揺動位置間において揺動可能となるように前記支点部を前記ケースに保持されたロッカーアームであって、前記第１の被押圧部と前記支点部との間にストッパ部を有し、且つ、前記スライダが前記第１の位置にあるときには当該ロッカーアームが前記第１の揺動位置に位置することにより前記ストッパ部にて前記スライダが前記第２の位置に向かってスライドするのを阻止するロッカーアームと、
該ロッカーアームの前記第１の被押圧部に第１の力を加えることにより該ロッカーアームを前記第１の揺動位置に向けて常時付勢する第２の付勢手段と、
前記ケースに移動可能に保持された操作部材であって、操作された際に前記ロッカーアームの前記第２の被押圧部に対して第２の力を加えることにより前記第２の付勢手段による第１の力に抗って該ロッカーアームを第２の揺動位置に向けて移動させる操作部材と
を備えるカードソケットが得られる。
【００１２】
本発明によれば、第２のカードソケットとして、
前記ケースは、カード収容スペースと、該カード収容スペースに対してカードを第１の方向に沿って挿脱可能とするための開口部とを有しており、
該開口部は、前記第１の方向に沿って見た場合において、前記第１の方向に直交する第２の方向に長く、且つ、前記第１及び第２の方向に直交する第３の方向に短い、略長方形状を有しており、
前記スライダは、前記第１の方向にスライド可能であり、
前記第２の付勢手段は前記第１の方向において前記カード収容スペースよりも前記開口部から遠い領域に位置するように前記ケース内に設けられ、前記第２の方向に沿って前記ロッカーアームの前記第１の被押圧部に対して前記第１の力を常時加える
前記第１のカードソケットが得られる。
【００１３】
また、本発明によれば、第３のカードソケットとして、
前記ロッカーアームは、第１及び第２の端部並びにその間に位置する前記支点部を有する主板部と、前記第１の端部に設けられた前記第１の被押圧部と、前記支点部と前記第２の端部との間に設けられた前記第２の被押圧部とを備えており、
該ロッカーアームは、前記主板部が前記第１及び前記第２の方向により規定される面内で揺動可能となるように、前記ケースに取り付けられている
前記第２のカードソケットが得られる。
【００１４】
また、本発明によれば、第４のカードソケットとして、
前記第２の付勢手段は圧縮バネを備えており、
前記ケースは、前記第１の方向において前記カード収容スペースよりも前記開口部から遠い領域において前記第２の方向に延びるガイドレール部と、該ガイドレール部から一定距離だけ前記第１の方向に離れるようにして設けられた壁部とを有しており、
前記ケースの前記ガイドレール部と前記壁部とは前記第２の付勢手段の前記圧縮バネを収容するバネ収容部を構成しており、
前記第１の被押圧部は、断面逆Ｕ字形状を有し、前記第３の方向に向かって前記第１の端部から突出しており、前記ガイドレール部を跨ぐようにして配置されることにより、前記第２の付勢手段の前記圧縮バネから前記第１の力を受ける
前記第３のカードソケットが得られる。
【００１５】
また、本発明によれば、第５のカードソケットとして、
前記ロッカーアームの前記主板部は、前記支点部に接続された片刃腰鉈状の第１板部と、該第１板部の先端に接続されたＬ字状の第２板部と、前記支点部を介して前記第１板部に接続された第３板部とを備えており、
前記第１板部は、前記ロッカーアームが前記第２の揺動位置にあるとき、前記支点部から前記第１の方向に沿うようにして前記壁部に向かって延びると共に、前記片刃腰鉈状の刃部が前記第２の方向に張り出すようにして形成されており、
前記第２板部は、前記第１板部の先端から出発して、前記スライダから離れた後に前記壁部に向かうような形状を有しており、
前記第１の被押圧部は、当該第２板部の先端に設けられており、
前記第３板部は、前記ロッカーアームが前記第１の揺動位置にあるとき、前記支点部から前記第１の方向に沿うようにして前記開口部に向かって延びている
前記第４のカードソケットが得られる。
【００１６】
また、本発明によれば、第６のカードソケットとして、
前記スライダは、前記第３の方向に突出した突出部を有し、
前記第１板部の先端は、前記ロッカーアームが前記第１の揺動位置にあるとき、前記突出部を前記第１の方向において受けることにより、前記ストッパ部として機能し、
前記突出部は、前記スライダが前記第２の位置にあり且つ前記ロッカーアームが前記第２の揺動位置にあるとき、前記第１板部の前記刃部を前記第２の方向において受けることにより、前記ロッカーアームが前記第１の揺動位置に向かって移動することを阻止する
前記第５のカードソケットが得られる。
【００１７】
また、本発明によれば、第７のカードソケットとして、
前記ロッカーアームの前記第２の被押圧部は、前記第３の方向に突出しており、
前記操作部材は、前記第１の方向に沿って移動可能となるように、前記ケースに保持されており、
該操作部材は、前記第２の被押圧部を収容するための収容穴部を有しており、
該収容穴部は、前記操作部材が前記第１の方向に沿って移動させられた際に、当該移動による前記第１の方向の力を前記第２の力に変換して前記第２の被押圧部に伝達するためのカム面を有する
前記第２乃至第６のいずれかのカードソケットが得られる。
【００１８】
また、本発明によれば、第８のカードソケットとして、
前記操作部材は、前記第１の方向において前記ケースの外側に向かって突出するように配置されたボタンであり、
前記操作部材が前記第１の方向に沿うようにして前記ケース内部に向かって押されると、前記カム面が該押力を前記第２の力に変換する
前記第７のカードソケットが得られる。
【００１９】
また、本発明によれば、第９のカードソケットとして、
前記ケースは、前記開口部から前記第１の方向に張り出した張出部を有しており、
前記操作部材は、前記第１の方向において該張出部から前記ケースの外側に向かって突出するようにして前記ケースに保持されている
前記第８のカードソケットが得られる。
【００２０】
また、本発明によれば、第１０のカードソケットとして、
前記スライダは、前記第１の方向に延びる主部と、該主部から前記第２の方向に延びる前記カード受部とを備えており、
前記スライダの前記主部と前記操作部材は、前記第１の方向に延びる仮想直線上に配置されている
前記第７乃至第９のいずれかのカードソケットが得られる。
【００２１】
また、本発明によれば、第１１のカードソケットとして、
前記スライダの前記主部と前記操作部材とは、前記第２の方向において、前記カード収容スペースの外側に配置されている
前記第１０のカードソケットが得られる。
【００２２】
また、本発明によれば、第１２のカードソケットとして、
前記ロッカーアームの前記支点部は、前記仮想直線から前記第２の方向に離れた位置に設けられている
前記第１０又は第１１のカードソケットが得られる。
【００２３】
また、本発明によれば、第１３のカードソケットとして、
前記ロッカーアームは、所定寸法のカードが前記カード収容スペースに完全に収容された際に、当該カードの後縁を受けるための後縁受部を有しており、
該後縁受部は、前記ロッカーアームの前記第２の被押圧部よりも前記開口部に近い位置から前記第３の方向に向かって突出している
前記第２乃至第１２のいずれかのカードソケットが得られる。
【００２４】
また、本発明によれば、第１４のカードソケットとして、
前記ロッカーアームは、且つ、前記所定寸法のカードよりも前記第１の方向において長いカードが当該カードソケットに挿入されて前記スライダが前記第１の位置に位置しているとき、前記第１及び第２の揺動位置間に第３の揺動位置に位置しており、
前記ロッカーアームが前記第３の揺動位置にあるとき、前記ストッパ部は前記スライダが前記第２の位置に向かってスライドするのを阻止する一方、前記後端受部が前記第１の方向から見た場合に前記カード収容スペースと重ならない位置に位置している
前記第１３のカードソケットが得られる。
【発明の効果】
【００２５】
本発明の第１のカードソケットは、カード排出機構の誤動作を防止しつつ、良好な操作性を有し、且つ、小さい投影面積を有している。
【００２６】
本発明の第２のカードソケットによれば、第２の付勢手段に関し、十分な付勢力を確保しつつ、カードソケットの投影面積を小さくすることができる。ここで、第１乃至第３の方向は、例えば、それぞれカード挿脱方向（カード長さ方向）、カード幅方向、カード厚み方向である。
【００２７】
本発明の第３のカードソケットによれば、例えば、ロッカーアームの強度を保持しつつカード厚み方向におけるロッカーアームの厚みを薄くすることができる。それにより、例えば、ロッカーアームの主板部をカード収容スペースの下部に設けることができ、カードソケット全体として小型化を達成することができる。
【００２８】
本発明の第４のカードソケットによれば、カードソケットのカード挿脱方向における寸法を大きくすることなく、ロッカーアームの揺動動作に要する十分なトルクをロッカーアームに加えることができる。
【００２９】
本発明の第５のカードソケットによれば、カードソケットのカード幅方向における寸法を大きくすることなく、ロッカーアームに必要なトルクを加えることができる。なお、本発明の第５のカードソケットによれば、第１板部の延びる方向と前記第３板部の延びる方向とは０度ではない所定角度をなすこととなる。
【００３０】
本発明の第６のカードソケットによれば、カード排出機構の誤動作防止機能を更に高めることができると共に、カード未挿入時にロッカーアームが誤って第１の揺動位置に移動してしまうことを防ぐことができる。
【００３１】
本発明の第７又は第８のカードソケットによれば、良好な操作性を保持しつつ、カード排出機構の誤動作防止機能を更に高めることができる。
【００３２】
本発明の第９のカードソケットによれば、操作部材をカード挿入方向に押し込んだ場合でも、カード収容スペース内に完全に収容されているカードの後縁を押すことがないので、カードに不要な力が加わることによるカード破損の可能性を下げることができる。
【００３３】
本発明の第１０のカードソケットによれば、カード幅方向における大型化を避けることができ、投影面積を小さくすることができる。
【００３４】
本発明の第１１又は第１２のカードソケットによれば、投影面積をできる限り小さくしつつ、スライダや操作部材の夫々の寸法を比較的大きくとることができる。
【００３５】
本発明の第１３のカードソケットによれば、所定寸法のカードが挿入された場合には、意に反した当該カードの抜け落ちを防止することができる。
【００３６】
例えば、小型のメモリカードの分野においては、カード長さ方向における寸法は異なるがカード幅方向及びカード厚み方向における寸法においては実質的に差異のないカードであって、電極パッドの配置についても互換性のある二種類のカードがある。本発明の第１４のカードソケットによれば、一つのカードソケットで上述したような二種類のカードに対応することができる。
【発明を実施するための最良の形態】
【００３７】
以下、図１乃至図２３を用いて、本発明の実施の形態によるカードソケットについて詳細に説明する。
【００３８】
図１に示されるように、本発明の実施の形態によるカードソケット１００は、インシュレータ１０及びカバー２０からなるケース３０と、スライダ４０と、第１の圧縮バネ５０と、ロッカーアーム６０と、第２の圧縮バネ７０と、ボタン８０とを備えている。
【００３９】
ケース３０は、インシュレータ１０の底部１１とカバー２０とで規定されたカード収容スペース３２を備えている。インシュレータ１０のＹ方向後端の縁１０ａとカバー２０のＹ方向後端の縁２０ａとは、カード収容スペース３２にカード２００（例えば、図１５参照）を挿脱可能とするための開口部３４を規定する。開口部３４は、Ｙ方向から見た場合、Ｘ方向に長く、Ｚ方向に短い、略長方形状を有している。
【００４０】
インシュレータ１０には、複数の端子３６が保持されている。各端子３６の一端はＺ方向においてカード収容スペース３２内に突出している。各端子３６がバネ性を有することから、カード２００がカード収容スペース３２に収容された際には、カード２００は端子３６によりカバー２０側に押し付けられることになる。
【００４１】
図２乃至図４に示されるように、インシュレータ１０は、底部１１に加えて、第１乃至第３の壁部１２〜１４を有している。第１乃至第３の壁部１２〜１４は、底部１１の三方を囲んでいる。底部１１は、カード収容スペース３２の底面を形成する第１の底部１１ａと、第１の底部１１ａよりも所定深さだけ窪んだ第２の底部１１ｂとを備えている。第２の底部１１ｂは、後述するように、ロッカーアーム６０を揺動可能に収容する場所である。なお、本実施の形態において“所定深さ”は、ロッカーアーム６０の板厚に等しい。第２の底部１１ｂのＹ方向略中央には、円板形状を有し且つ第２の底部１１ｂからＺ方向に突出した軸１１ｃが設けられている。軸１１ｃは、後述するように、ロッカーアーム６０の揺動動作の支点となるものである。軸１１ｃのＸ方向内側には階段状穴部１１ｄが形成されている。この階段状穴部１１ｄは、底部１１の裏面まで達している。
【００４２】
図１乃至図３から理解されるように、第２の壁部１３は、Ｙ方向において、開口部３４から最も遠い位置に存在する壁部であり、比較的厚い厚壁部１３ａと比較的薄い薄壁部１３ｂとを備えている。薄壁部１３ｂは、厚壁部１３ａからＸ方向に沿うようにして延設されている。第２の壁部１３は、Ｙ方向において薄壁部１３ｂと一定距離を開けて配置されたガイドレール部１３ｃを備えている。ガイドレール部１３ｃは、第２の底部１１ｂからＺ方向に向かって突出し、且つ、厚壁部１３ａからＸ方向に沿って延びている。薄壁部１３ｂとガイドレール部１３ｃとの間には、バネ収容溝１３ｄが形成されている。このバネ収容溝１３ｄは、厚壁部１３ａ内にＸ方向に延びるようにして形成されたバネ収容穴１３ｅと一体となり、第２の圧縮バネ７０を収容するためのバネ収容部１３ｆを構成している。
【００４３】
図２乃至図４に示されるように、第３の壁部１４は、第２の壁部１３からＹ方向に延びる第１部１４ａと、第１部１４ａよりもＸ方向において厚く形成された第２部１４ｂと、第２部１４ｂよりもＺ方向において窪んでいる第３部１４ｃと、第３部１４ｃ内に形成された溝部１４ｄと、第３部１４ｃから更にＹ方向に延びる第４部１４ｅを備えている。溝部１４ｄは、Ｚ方向下側に向かって深さを有し且つＹ方向に延びる溝であり、図４に特に明確に示されるように、溝部１４ｄの内側壁のうちＸ方向外側の一方と、第４部１４ｅの内壁とは一直線上に並ぶように形成されている。
【００４４】
図２及び図４に示されるように、第２の底部１１ｂ上には島部１５が形成されている。島部１５は、Ｘ方向において軸１１ｃよりもカード収容スペースから離れた位置に位置し、Ｙ方向の略中央から開口部３４に向かって延びるような形状を有している。島部１５は軸１１ｃと同じ高さとなるように形成されており、島部１５の軸１１ｃに最も近い位置にはＹ方向に延びる立設壁部１５ａが形成されている。立設壁部１５ａは、後述するように、第３の壁部１４の第２部１４ｂと共にスライダ４０の後端部分を受けるガイド部を構成する。また、島部１５のＹ方向前端の縁部１５ｂは、スライダ４０の後端位置を規定する。島部１５のＹ方向後端付近にはＺ方向に突出した突台部１５ｃが設けられている。突台部１５ｃの高さは、第３の壁部１４の第３部１４ｃの高さに等しい、
【００４５】
第２の底部１１ｂ上には、更に、第１の突部１６が形成されている。第１の突部１６は、ＸＺ平面内においてＬ字上の断面を有するものであり、島部１５からＹ方向において離れた位置からＺ方向に突出し、その後、Ｘ方向に向かって延びている。第１の突部１６は、第２の底部１１ｂとの間に隙間１６ａを規定している。この隙間１６ａは後述するようにロッカーアーム６０の一部分を収容可能なスペースである。本実施の形態における隙間１６ａは、ロッカーアーム６０の板厚よりも僅かに広くなるように形成されている。なお、本実施の形態においては、図４に示されるように、隙間１６ａを規定している面１６ｂと島部１５の面１５ｄとは略一直線上に配されている。
【００４６】
図４に最もよく示されるように、第１の突部１６は、第３の壁部１４の第４部１４ｅから一定距離を開けて配置されている。第１の突部１６と第４部１４ｅとの間の距離は、溝部１４ｄのＸ方向の幅に等しい。第１の突部１６は、島部１５との間に、第１の領域１１ｅを規定している。この第１の領域１１ｅの役割については、ロッカーアーム６０の説明時に併せて説明する。
【００４７】
インシュレータ１０は、第１の突部１６から更にＹ方向に離れた位置において、Ｚ方向に突出した第２の突部１７を備えている。第２の突部１７は、第１の突部１６と同様に、第３の壁部１４の第４部１４ｅから一定距離を開けて配置されている。第２の突部１７と第４部１４ｅとの間の距離もまた、溝部１４ｄのＸ方向の幅に等しい。第２の突部１７は、第１の突部１６との間に第２の領域１１ｆを規定している。第２の領域１１ｆの役割については、ロッカーアーム６０の説明時に併せて説明する。
【００４８】
図１を再び参照すると、インシュレータ１０のうち、第２の突部１７が形成されている部分１０ｂは、開口部３４を規定する縁１０ａよりもＹ方向外側に向かって突出している。同様に、カバー２０にも、開口部３４を規定する縁２０ａよりもＹ方向に突出した部分２０ｂが設けられている。これら部分１０ｂと部分２０ｂとは、インシュレータ１０とカバー２０とが組み合わされることにより、開口部３４よりもＹ方向外側に張り出した張出部３８を形成する。この張出部３８の機能については、ボタン８０の押圧操作の詳細を述べる際に説明する。
【００４９】
図１に示されるように、カバー２０は、インシュレータ１０の溝部１４ｄに対応する位置に片持ちバネ２２を備えている。片持ちバネ２２は、カバー２０から前方下側に向かって延びており、後述するようにボタン８０をＹ方向において突出させる役割を果たす。また、カバー２０には、ガイド板部２４が形成されている。ガイド板部２４は、カバー２０からＺ方向下側に向かって突出した板状部であり、Ｙ方向に延びている。このガイド板部２４は、カバー２０の上面にコの字状に切り込みを入れた後、Ｚ方向に折り込むことで形成できる。
【００５０】
図５及び図６に示されるように、スライダ４０は、Ｙ方向に延びる略直方体形状の主部４１と、主部４１からＸ方向に向かって突出したカード受部４２とを備えている。主部４１とカード受部４２との間には、被ガイド溝部４３が形成されている。この被ガイド溝部４３は、カバー２０のガイド板部２４を受け入れる部分である。主部４１のＺ方向下側には突出部４４が設けられている。突出部４４は、ＸＹ平面内において長方形形状の断面を有しており、第２の底面１１ｂ上をスライドする。本実施の形態における突出部４４の突出量は、後述するロッカーアーム６０の厚みに等しい。
【００５１】
スライダ４０の主部４１の後端は、Ｙ方向に延びる被ガイド部４５を構成している。被ガイド部４５は、Ｘ方向において主部４１の他の部分よりも幅が狭く構成されており、２つの肩部４６，４７が形成されている。被ガイド部４５は、インシュレータ１０において島部１５の立設壁部１５ａと第３の壁部１４の第２部１４ｂとにより規定されたガイド部に収容される。このガイド部と上述したカバー２０のガイド板部２２及びスライダの被ガイド溝部４３により、例えば、スライダ４０にＸ方向に向かう力がかかったとしても、Ｙ方向におけるスライド動作が保証される。
【００５２】
Ｙ方向においてスライダ４０の肩部４６，４７が立設壁部１５ａと第２部１４ｂとに当接するとき、スライダ４０の突出部４４は、島部１５の前方の縁部１５ｂに当接し、以降、Ｙ方向後方に移動することを止められる。本実施の形態においては、スライダ４０がカード２００挿入時にカード２００と共に奥まで移動した位置を第１の位置とし、カード２００排出時に島部１５等によりＹ方向後方に向かう移動を止められたときのスライダ４０の位置を第２の位置とする。
【００５３】
スライダ４０は、Ｙ方向に延びるようにして主部４１内部に形成された穴部４８を備えており、当該穴部４８内に第１の圧縮バネ５０を保持している。第１の圧縮バネ５０は、スライダ４０と共にインシュレータ１０に組み込まれることにより、スライダ４０を、常時、第２の位置に向けて付勢する。
【００５４】
本実施の形態においては、スライダ４０のカード受部４２のＺ方向位置は、インシュレータ１０に設けられたバネ収容部１３ｆのＺ方向上端部よりも上方である。即ち、スライダ４０がカード挿入に伴い第１の位置まで押された際に、カード受部４２は、ガイドレール部１３ｃやバネ収容部１３ｆに収容された第２の圧縮バネ７０とぶつかることなく、バネ収容部１３ｆのＺ方向上側に位置することができる。従って、全体としてカードソケット１００の投影面積を小さくすることができる。
【００５５】
図７に示されるように、ロッカーアーム６０は、軸穴部６１ａを形成された主板部６１を備えている。主板部６１は軸穴部６１ａを挟んだ２つの端部として、第１及び第２の端部６１ｂ及び６１ｃを有している。第１の端部６１ｂには、断面逆Ｕ字形状の第１の被押圧部６２が形成され、主板部６１の第２の端部には後縁受部６３が形成されている。第１の被押圧部６２はＵ字の底部分がＺ方向上方に向かって突出するように形成されている。後縁受部６３は、所定寸法のカード２００が挿入された際にカード２００の後縁２１０を受けて、カード２００の脱落を防止するためのものであり、第２の端部６１ｃからＺ方向に向かって突出している。更に、ロッカーアーム６０のうち、軸穴部６１ａと第２の端部６１ｃとの間には、Ｚ方向に突出する第２の被押圧部６４が設けられている。
【００５６】
詳しくは、主板部６１は、片刃腰鉈状の第１板部６１ｄと、第１板部６１ｄに接続されたＬ字状の第２板部６１ｅと、第３板部６１ｆとを有している。第１板部６１ｄの先端は僅かにカーブした形状を有しており、後述するように、第１の位置に存するスライダ４０の突出部４４をＹ方向において受け止めることにより、スライダ４０が第２の位置に移動するのを阻止するストッパ部６１ｄ１として機能する。第３板部６１ｆは、軸穴部６１ａを介して、第１板部６１ｄに接続されるようにして形成されている。第１板部６１ｄの延びる方向と第３板部６１ｆの延びる方向とは同一直線状にはなく、第１板部６１ｄと第３板部６１ｆは“へ”の字状をなしている。主板部６１には、更に、規制部６５が設けられている。規制部６５は、Ｚ方向において、第１及び第２の被押圧部６２，６４並びに後縁受部６３の突出している方向とは逆の方向に向かって軸穴部６１ａの近傍から突出している。
【００５７】
ロッカーアーム６０は、軸穴部６１ａに対して軸１１ｃを回転可能に嵌め込むことにより、インシュレータ１０の第２の底部１１ｂに取り付けられる。この際、規制部６５はインシュレータ１０に設けられた階段状穴部１１ｄに収容され、ロッカーアーム６０の揺動動作を規制すると共に、ロッカーアーム６０の主板部６１がインシュレータ１０の第２の底部１１ｂに平行な面内で揺動可能とするように機能する。また、第１の底部１１ａと第２の底部１１ｂとの段差と、第１板部６１ｄ又は第３板部６１ｆとにより、ロッカーアーム６０の揺動可能範囲が規定される。本実施の形態においては、ロッカーアーム６０の第３板部６１ｆが第１の底部１１ａと第２の底部１１ｂとの境界部分に当接するとき、ロッカーアーム６０が第１の揺動位置にあるものとし、ロッカーアーム６０の第１板部６１ｄが第１の底部１１ａと第２の底部１１ｂとの境界部分に当接するとき、ロッカーアーム６０が第２の揺動位置にあるものとする。
【００５８】
ロッカーアーム６０の第１の被押圧部６２は、インシュレータ１０のガイドレール部１３ｃを跨ぐようにして配置される。これにより、第１の被押圧部６２は、第２の圧縮バネ７０から常時スライダ４０側に移動するような力を受ける。換言すると、第２の圧縮バネ７０はロッカーアーム６０を第１の揺動位置に向けて常時付勢している。
【００５９】
図１、図２及び図４から理解されるように、インシュレータ１０にロッカーアーム６０が取り付けられると、第２の被押圧部６４は第１の領域１１ｅ内において移動可能となり、後縁受部６３は第２の領域１１ｆ上を移動可能となる。第１及び第２の領域１１ｅ及び１１ｆが設けられると共に、第１の突部１６と第２の底部１１ｂとの間に隙間１６ａが設けられていることから、ロッカーアーム６０が第１及び第２の揺動位置間において揺動動作をする間、第２の被押圧部６４や後縁受部６３はスムーズに所定の動作を行うことができる。
【００６０】
更に詳しくは、ロッカーアーム６０の第１板部６１ｄは、例えば、図１６に示されるように、ロッカーアーム６０が第２の揺動位置にあるとき、Ｙ方向に沿うようにして第２の壁部１３に向かって延びると共に、片刃腰鉈状の刃部６１ｄ２がＸ方向外側（第３の壁部１４に向かって）に張り出すような形状を有している。また、第２板部６１ｅは、ロッカーアーム６０が第２の揺動位置にあるとき、第１板部６１ｄの先端から出発して、スライダから離れるようにしてＸ方向に突出した後に第２の壁部１３に向かうような形状を有している。すなわち、第２板部６１ｅは、ロッカーアーム６０が第２の揺動位置にあるとき、第１板部６１ｄの先端から出発して、第１の壁部１２に向かうようにしてＸ方向に突出した後に第２の壁部１３に向かうような形状を有している。
【００６１】
一方、ロッカーアーム６０の第３板部６１ｆは、例えば、図１９に示されるように、ロッカーアーム６０が第１の揺動位置にあるとき、Ｙ方向に沿うようにして開口部３４に向かって延びている。
【００６２】
上述した位置的関係により、ロッカーアーム６０とスライダ４０とは、図１４に示されるような動作を行う。図１４において、スライダ４０に関して点線で示される位置は第１の位置であり、実線で示される位置は第２の位置である。一方、ロッカーアーム６０に関して点線で示される位置は第１の揺動位置であり、実線で示される位置は第２の揺動位置である。図１４を参照すると、ロッカーアーム６０は第２の圧縮バネ７０により第１の被押圧部６２に対して常時白抜き矢印で示される力（「第１の力」と呼ぶ）を受けているが、スライダ４０が第２の位置にあるときには、スライダ４０の突出部４４により、第１の揺動位置に移動することを阻止されている。スライダ４０が挿入されたカードと共にＹ方向にスライドさせられると、ロッカーアーム６０は点線で示されるように第２の揺動位置に移動可能となり、今度は逆に、スライダ４０が第２の位置に移動することを阻止する。この状態において、黒矢印で示される力（「第２の力」と呼ぶ）を第２の被押圧部６４に加えると、ロッカーアーム６０は実線で示される第２の揺動位置に向かって移動する。それにより、スライダ４０の移動を阻害するものがなくなり、スライダ４０も実線で示される第２の位置に向かって移動する。このスライダ４０のＹ方向に向かう移動により、カードがカード受部４２からの力を受け、カードソケット１００から排出される。
【００６３】
かかる動作において、ロッカーアーム６０の第２の被押圧部６４に対して第２の力（図１４において黒矢印で示される力）を加えるための部材がボタン８０である。ボタン８０は、図８乃至図１３に示されるように、長板状の主部８１と、主部のＹ方向後端からＺ方向下側に向かって突出した被押圧部８２を備えている。ここで、被押圧部８２は、ケース３０からカード排出方向に向かって突出する部分であり、カード排出動作を行う際に、ユーザにより押圧される部分である。
【００６４】
図１５，１８及び２２を参照して、ボタン８０、特にその主部８１とスライダ４０の主部４１とはＹ方向に延びる単一の仮想直線上に配置されている。この仮想直線は、図１５及び図１８から明らかなように、Ｘ方向においてカード収容スペース３２の外側に位置している。すなわち、ボタン８０及びスライダ４０の主部４１は、カード２００の挿脱動作の間、カード２００と接触することはない。一方、ロッカーアーム６０の軸穴部６１ａ及びインシュレータ１０の軸１１ｃは、Ｘ方向において該仮想直線から離れた位置に設けられている。特に、本実施の形態においては、ロッカーアーム６０の軸穴部６１ａ及びインシュレータ１０の軸１１ｃは、該仮想直線よりＸ方向内側、即ち、第１の壁部１２に近い位置に位置している。これにより、ボタン８０及びスライダ４０の主部４１とロッカーアーム６０とは概略並列配置されることになり、カードソケット１００のＹ方向における寸法を小さくすることができる。
【００６５】
ボタン８０の主部８１には、ロッカーアーム６０の第２の被押圧部６４を収容するための収容穴部８３が形成されている。本実施の形態における収容穴部８３は、Ｚ方向に貫通する貫通穴（孔）である。収容穴部８３よりも被押圧部８２に近い位置には空間８４が形成される。空間８４は、ロッカーアーム６０が第２の揺動位置にあるとき、ロッカーアーム６０の後縁受部６３を収容する部分である。即ち、空間８４は、インシュレータ１０の第２の領域１１ｆに対応して設けられるものである。空間８４を規定するため、主部８１は、空間８４に対応する部分のみ薄く形成されている。その結果、主部８１の下面８１ａは空間８４の上面８４ａよりもＺ方向において低い位置にある。なお、主部８１の下面８１ａは、インシュレータ１０に組み込まれた際に、Ｚ方向において突台部１５ｃの上面と同じ高さに位置する。一方、空間８４の上面８４ａは、インシュレータ１０に組み込まれた際に、Ｚ方向において第１の突起１６の上面と同じ高さに位置する。
【００６６】
ボタン８０の後端に位置する被押圧部８２には突部収容部８２ａが設けられている。この突部収容部８２ａは、ボタン８０がＹ方向に押し込まれた際に、インシュレータ１０の第２の突起１７を収容するためのものである。突部収容部８２ａが第２の突起１７を収容すると、ボタン８０はそれ以上Ｙ方向に押し込めなくなる。このことから、第２の突部１７は、ボタン８０のＹ方向前方に向かう動きを規制するものであると言える。
【００６７】
ボタン８０の主部８１前端からは、突出頭部８５がＹ方向に向かって突出している。突出頭部８５は、主部８１からＹ方向に向かって突出した略直方体状の第１部８５ａと、第１部８５ａから更にＹ方向前方に突出した第２部８５ｂとを有している。第２部８５ｂはＹ方向前方に向かうにしたがってＺ方向に向かってカーブする曲面を有しており、ボタン８０がカードソケット１００内に組み込まれた際には、カバー２０に設けられた片持ちバネ２２により、Ｙ方向後方に向かう力を受ける。即ち、カバー２０に設けられた片持ちバネ２２は、ボタン８０をケース３０から外側に突出させる方向に常時付勢するものである。なお、図１３に最も良く示されるように、突出頭部８５における第２部８５ｂは第１部８５ａよりもＸ方向外側に向かって突出しており、その結果、第１部８５ａと第２部８５ｂとの境界部分には肩部８５ｃが形成されている。この肩部８５は、ボタン８０がＹ方向後端に向かって移動させられた際に、インシュレータ１０の第３の壁部１４の第４部１４ｅの前端部分に当接して、ボタン８０の動きを止める機能を有する。すなわち、肩部８５は、ボタン８０のケース３０からの突出量を規定するものである。
【００６８】
図９乃至図１２に示されるように、主部８１のＸ方向外側に位置する縁の下部及び突出頭部８５の下部には、Ｚ方向下側に向かって突出した被ガイドレール８６が設けられている。被ガイドレール８６は、Ｙ方向にまっすぐ延びている。被ガイドレール８６は、インシュレータ１０の溝部１４ｄに、Ｙ方向に移動可能となるように、嵌め込まれる。それにより、ボタン８０は、Ｙ方向に沿ってスライド可能となるようにインシュレータ１０に保持される。なお、第１及び第２の突部１６，１７と第３の壁部１４の第４部１４ｅとの間には、上述したように、溝部１４ｄに対応する幅の隙間が設けられていることから、被ガイドレール８６は、第１及び第２の突部１６，１７と第３の壁部１４の第４部１４ｅとによってもＸ方向に移動することを防止され、ボタン８０は適切にＹ方向に移動することができる。
【００６９】
主部８１のＸ方向内側の縁からは、被ガイドレール８６に対してＸ方向において対向するようにしてＺ方向に突出した壁部８７が更に設けられている。壁部８７は、被ガイドレール８６が溝部１４ｄにガイドされ、ボタン８０がＹ方向にスライドする際、島部１５の上面であって、突台部１５ｃの内側をスライドする。これに加えて、前述したように、空間８４の上面８４ａが第１の突部１６の上面の上をスライドするように構成されていることから、Ｚ方向おけるボタン８０の動きも適切に規制されている。
【００７０】
図１３に最も良く示されるように、収容穴部８３におけるＹ方向後端側の面は、インシュレータ１０にボタン８０が取り付けられた状態において、Ｘ方向内側且つＹ方向前方に向かってカーブするようなカム面８３ａを形成している。カム面８３ａのＸ方向両端部分とＹ方向において対向する部分には第１受部８３ｂ及び第２受部８３ｃが形成されている。第１受部８３ｂは、ロッカーアーム６０が第１の揺動位置にあるとき、第２の被押圧部６４をＹ方向において受ける部分であり、第２受部８３ｃは、ロッカーアーム６０が第２の揺動位置にあるとき、第２の被押圧部６４をＹ方向において受ける部分である。本実施の形態においては、更に、ポケット８３ｄが設けられている。このポケット８３ｄは、所定長さ以上のカードが挿入された際に役立つものである。所定長さ以上のカードが挿入された場合の動作については後で詳述する。
【００７１】
上述したように、ボタン８０はカバー２０の片持ちバネ２２によりケース３０の外側に向かって突出する方向に常時付勢されている。そのため、ロッカーアーム６０が第１の揺動位置に位置し、スライダ４０がカード排出方向に向かうのを阻止しているとき、ボタン８０は片持ちバネ２２によりカード排出方向に向かう力を加えられ、第１受部８３ｂにて第２の被押圧部６４を受け止めている。この状態で、ボタン８０を片持ちバネ２２のバネ力に抗ってカード挿入方向（Ｙ方向に沿って第２の壁部１３に向かって）に押し込むと、第２の被押圧部６４は第１受部８３ｂを離れ、カム面８３ａに当接する。その状態で、ボタン８０をカード挿入方向に更に押し込むと、第２の被押圧部６４はカム面８３ａにガイドされて、Ｘ方向外側に向かう力、即ち図１４において黒矢印で示される第２の力を受ける。即ち、カム面８３ａは、ボタン８０に加えられたＹ方向の押力をＸ方向に向かう第２の力に変換して、第２の被押圧部６４に伝達する。これにより、ロッカーアーム６０は、点線で示される第１の揺動位置から実線で示される第２の揺動位置に向かって移動させられる。その状態で、ボタン８０を離すと、ボタン８０はカバー２０の片持ちバネ２２による付勢のため、カード排出方向に若干移動させられ、その結果、第２の被押圧部６４は第２受部８３ｃによって受け止められる。
【００７２】
ここで、図１３、図１５乃至図１７、並びに、図１８乃至図２０を参照して、カード２００をＹ方向に沿ってカードソケット１００内部に挿入する際の各部の動作について更に総括的に説明する。
【００７３】
図１５乃至図１７に示されるように、カード２００を挿入する前の状態においては、スライダ４０が第１の圧縮バネ５０によりカード排出方向に向かって付勢され、第２の位置に位置している。この状態においては、ロッカーアーム６０の第１板部６１ｄの片刃腰鉈状の刃部６１ｄ２のＸ方向外側にスライダ４０の突出部４４が位置していることから、ロッカーアーム６０は第２の圧縮バネ７０による第１の力（図１４における白抜き矢印参照）を受けているにもかかわらず、第１の揺動位置に移動することができない。その状態では、ロッカーアーム６０の第２の被押圧部６４は収容穴部８３内の第２受部８３ｃによる受け止められている。
【００７４】
この状態において、図１８乃至図２０に示されるように、カード２００をカード収容スペース３２内に収まるまで挿入すると、カード受部４２にカード２００の挿入に伴う力が加えられ、それによりスライダ４０は第１の位置に向けてスライドさせられる。それにより、スライダ４０の突出部４４がロッカーアーム６０の刃部６１ｄ２をＸ方向において抑えていた状態が解除されると、ロッカーアーム６０は、第２の圧縮バネ７０から第１の力を第１の被押圧部６２に加えられていることから、軸１１ｃを中心に回転し、ストッパ部６１ｄ１がスライダ４０の突出部４４のＹ方向後端側に入り込むことになる。スライダ４０は、第１の圧縮バネ５０により第２の位置に向かうように常時付勢されていることから、カード挿入に伴う力が除かれた後は、Ｙ方向後方（カード排出方向）に戻ろうとする、即ち、第２の位置に戻ろうとするのであるが、その動きをロッカーアーム６０のストッパ部６１ｄ１によって阻止される。
【００７５】
この動作の間、ボタン８０は、カバー２０の片持ちバネ２２がボタン８０をカード排出方向に付勢していることに加え、ロッカーアーム６０が第２の揺動位置から第１の揺動位置に移動したことに伴い、第２の被押圧部６４が第２受部８３ｃにより受け止められていた状態が解除されることから、ボタン８０はカード排出方向に移動し、第１受部８３ｂが第２の被押圧部６４を受け止めた状態にて止まることとなる。その結果、ボタン８０の後端に位置する被押圧部８２は、ケース外部に突出することとなる。なお、この状態において、ロッカーアーム６０の後縁受部６３はカード２００の後縁２１０の後方に回り込んでいることから、カード２００がカードソケット１００から脱落することが防止される。
【００７６】
ボタン８０が片持ちバネ２２によりカード排出方向に付勢され且つロッカーアーム６０が第２の圧縮バネ７０により第１の揺動位置に付勢されていることからも明らかなように、ボタン８０がケース外部に突出した状態は、ボタン８０を意図的に押し込まなければ解除できないので、例えば、カードソケット１００が搭載された機器に多少の衝撃が加わった程度では、ロッカーアーム６０が第２の揺動位置に移動することはなく、カード排出機構が誤動作するおそれもない。加えて、カード挿入時にはカード２００をカードソケット１００内に挿入する以外に何らわずらわしい作業を行わずに、図１８乃至図２０に示されるような状態が維持されることから、操作性においても優れている。加えて、ロッカーアーム６０を揺動動作させるための第１及び第２の力が加えられる第１及び第２の被押圧部６２及び６４をロッカーアーム６０の支点（軸１１ｃ及び軸穴部６１ａ）と挟んで互いに反対側に位置するように構成したことから、全体的にカードソケット１００の投影面積を大きくすることなく、上記の高信頼性及び高操作性を得ることができている。
【００７７】
図２１に示されるように、ボタン８０の被押圧部８２をカード挿入方向（Ｙ方向前方）に押し込むと、図１３を用いてボタン８０のカム面８３ａと第２の被押圧部６４とについて詳述したようにして、第２の被押圧部６４に第２の力が加えられ、ロッカーアーム６０が第２の揺動位置まで移動させられる。それにより、ストッパ部６１ｄ１がスライダ４０の突出部４４を受け止めていた状態が解除され、スライダ４０は、第１の圧縮バネ５０に付勢されて、第２の位置まで移動させられる。この移動はカード受部４２によりカード２００に伝えられ、その結果、カード２００はカードソケット１００から排出される。
【００７８】
ここで、再び図２１を参照すれば明らかなように、本実施の形態におけるケース３０は、ボタン８０の突出部たる被押圧部８２の近辺において開口部３４よりもＹ方向後方に張り出した張出部３８を有している。従って、ボタン８０を押し込んでもカード２００の後縁２１０を押し込むことはないことから、カード２００を誤って押し込むことにより破損させるという事態を避けることができる。加えて、ボタン８０を押し込み、それによりカード排出機構が動作してカード２００が排出されてもボタン８０を押した指に当って止まることから、カード２００が意図しない場所まで飛び出してしまうという問題も回避される。
【００７９】
更に、本実施の形態において、ロッカーアーム６０は、第１及び第２の揺動位置間に第３の揺動位置を有する。この第３の揺動位置にロッカーアーム６０が位置しているとき、図２２及び図２３に示されるように、後縁受部６３はボタン８０の空間８４内に位置しているが、ストッパ部６１ｄ１はスライダ４０の突出部４４をＹ方向において受け止めている。逆に言うと、ロッカーアーム６０の第１板部６１ｄと第３板部６１ｆとのなす角や第１板部６１ｄにおける刃部６１ｄ２の張出量（即ち、ストッパ部６１ｄ１の縁部長さ）は上記第３の揺動位置を可能とするようにして選択されている。
【００８０】
ロッカーアーム６０が第３の揺動位置を有することにより、カードソケット１００はＹ方向の長さにおいて異なる２種類のカードに対応することができることとなる。すなわち、スライダ４０が第１の位置にあるときのカード受部４２から、ロッカーアーム６０が第１の揺動位置にあるときの後縁受部６３までのＹ方向距離（「所定長さ」という）よりもＹ方向長さの短いカード２００を挿入した際には、カード２００を挿入しきってしまえば、後縁受部６３の動作を邪魔する部材はないので、カード挿入に伴って、ロッカーアーム６０が第２の揺動位置から第１の揺動位置まで移動することができる。しかし、所定長さよりもＹ方向長さの長いカードを挿入した場合、スライダ４０を第１の位置まで押し込んで、ロッカーアーム６０が第２の圧縮バネ７０からの第１の力に従って回転可能となっても、後縁受部６３がカードの側部に当ってしまうことから、ロッカーアーム６０は第１の揺動位置には到達することができず、第３の揺動位置に位置することとなる。この場合でも、ストッパ部６１ｄ１は適切なサイズに設計されていることからスライダ４０の突出部４４をＹ方向後方において受け止めることができる。
【００８１】
この際、第２の被押圧部６４は第２受部８３ｃからは離れるものの第１受部８３ｂに到達する前に、ロッカーアーム６０の揺動動作が停止してしまう。仮に、ボタン８０の収容穴部８３がカム面８３ａとそれに略平行な面とで規定される穴部であってポケット部８３ｄを有しないものとすると、ボタン８０のケース３０からの突出量を十分なものとすることができないことから、その後のボタン８０の操作がしづらくなる。しかしながら、本実施の形態においては、収容穴部８３内にポケット部８３ｄを設けていることから、ボタン８０はカバー２０の片持ちバネ２２により付勢されることにより、カード排出方向に移動してケース外部に突出する一方、第２の被押圧部６４はポケット部６３ｄのＹ方向前端に設けられた第３受部８３ｅにて受け止められる。このようにして、ロッカーアーム６０は第３の揺動位置にあるとき、その状態を適切に保持されることとなる。
【００８２】
なお、本実施の形態においては、ボタン８０をカード排出方向に付勢する手段として、カバー２０に設けられた片持ちバネ２２を例示して説明してきたが、ボタン８０をカード排出方向に付勢する手段であればよく、当該付勢手段が片持ちバネ２２に限定されるわけではない。
【図面の簡単な説明】
【００８３】
【図１】本発明の実施の形態によるカードソケットの分解斜視図である。
【図２】図１に示されるインシュレータの斜視図である。
【図３】図２に示されるインシュレータの部分拡大図である。
【図４】図２に示されるインシュレータの他の部分に関する部分拡大図である。
【図５】図１に示されるスライダの斜視図である。
【図６】図５に示されるスライダを図５とは異なる方向から見た場合の斜視図である。
【図７】図１に示されるロッカーアームの斜視図である。
【図８】図１に示されるボタンの斜視図である。
【図９】図８に示されるボタンを図８とは異なる方向から見た場合の斜視図である。
【図１０】図８に示されるボタンの正面図である。
【図１１】図８に示されるボタンの側面図である。
【図１２】図８に示されるボタンの他の側面図である。
【図１３】図８に示されるボタンの上面図である。
【図１４】本発明の実施の形態によるカードソケットにおけるスライダとロッカーアームとの関係を示す模式図である。
【図１５】カード挿入開始時のカードソケットの状態を示す斜視図である。
【図１６】図１５に示される状態に対応した断面図である。
【図１７】図１５に示される状態をカードソケットの底部側から見た場合の図であって、主要な部品の関係を示す図である。
【図１８】カード収容時のカードソケットの状態を示す斜視図である。
【図１９】図１８に示される状態に対応した断面図である。
【図２０】図１８に示される状態をカードソケットの底部側から見た場合の図であって、主要な部品の関係を示す図である。
【図２１】ボタンの被押圧部とケースの張出部との関係を示す図である。
【図２２】長めのカードが挿入された場合のカードソケットにおける各部の状態を示す斜視図である。
【図２３】図２２に示される状態をカードソケットの底部側から見た場合の図であって、主要な部品の関係を示す図である。
【符号の説明】
【００８４】
１０  インシュレータ
１０ａ  縁
１１  底部
１１ａ  第１の底部
１１ｂ  第２の底部
１１ｃ  軸
１１ｄ  階段状穴部
１１ｅ  第１の領域
１１ｆ  第２の領域
１２  第１の壁部
１３  第２の壁部
１３ａ  厚壁部
１３ｂ  薄壁部
１３ｃ  ガイドレール部
１３ｄ  バネ収容溝
１３ｅ  バネ収容穴
１３ｆ  バネ収容部
１４  第３の壁部
１４ａ  第１部
１４ｂ  第２部
１４ｃ  第３部
１４ｄ  溝部
１４ｅ  第４部
１５  島部
１５ａ  立設壁部
１５ｂ  縁部
１５ｃ  突台部
１６  第１の突部
１７  第２の突部
２０  カバー
２０ａ  縁
２２  片持ちバネ
２４  ガイド板部
３０  ケース
３２  カード収容スペース
３４  開口部
３６  端子
３８  張出部
４０  スライダ
４１  主部
４２  カード受部
４３  被ガイド溝部
４４  突出部
４５  被ガイド部
４６  肩部
４７  肩部
４８  穴部
５０  第１の圧縮バネ
６０  ロッカーアーム
６１  主板部
６１ａ  軸穴部
６１ｂ  第１の端部
６１ｃ  第２の端部
６１ｄ  第１板部
６１ｄ１  ストッパ部
６１ｄ２  刃部
６１ｅ  第２板部
６１ｆ  第３板部
６２  第１の被押圧部
６３  後縁受部
６４  第２の被押圧部
６５  規制部
７０  第２の圧縮バネ
８０  ボタン
８１  主部
８２  被押圧部
８３  収容穴部
８３ａ  カム面
８３ｂ  第１受部
８３ｃ  第２受部
８３ｄ  ポケット部
８３ｅ  第３受部
８４  空間
８５  突出頭部
８５ａ  第１部
８５ｂ  第２部
８５ｃ  肩部
８６  被ガイドレール
８７  壁部
１００  カードソケット
２００  カード
２１０  （カードの）後縁
【図１】
2006040588.tif 000003
【図２】
2006040588.tif 000004
【図３】
2006040588.tif 000005
【図４】
2006040588.tif 000006
【図５】
2006040588.tif 000007
【図６】
2006040588.tif 000008
【図７】
2006040588.tif 000009
【図８】
2006040588.tif 000010
【図９】
2006040588.tif 000011
【図１０】
2006040588.tif 000012
【図１１】
2006040588.tif 000013
【図１２】
2006040588.tif 000014
【図１３】
2006040588.tif 000015
【図１４】
2006040588.tif 000016
【図１５】
2006040588.tif 000017
【図１６】
2006040588.tif 000018
【図１７】
2006040588.tif 000019
【図１８】
2006040588.tif 000020
【図１９】
2006040588.tif 000021
【図２０】
2006040588.tif 000022
【図２１】
2006040588.tif 000023
【図２２】
2006040588.tif 000024
【図２３】
2006040588.tif 000025